(57)【要約】      （修正有）【課題】天板と底板とをフォークの抜き差しにより自動接近離反可能に連結した運搬用パレットについて、パレットに対してフォークの爪の進入摩擦がパレットと接している床面の摩擦を上回ることがないように、パレットに対して容易にフォーク爪の抜き差し出来るようにしたパレットを提供する。【解決手段】フォークの爪２０がパレット１０に挿入される際、フォークの爪２０と、抜き差しにより自動接近離反可能に連結した運搬用パレット１０の摩擦を最小限に抑えるため、天板１１と底板１２に摩擦力軽減用のリブ１２ａを付けることで、フォークの爪２０に接するパレット１０の接触面積を小さくして、フォークの爪２０がパレット１０に挿入される際の摩擦を抑えて、滑りやすい床面でも、フォーク搬送作業を容易にする。【選択図】図１
0003144321.tif 000002
【実用新案登録請求の範囲】
【請求項１】
天板と底板が接近離反可能に連結した運搬用パレットに関し、フォーク差込時や抜き去り時において、このパレットがフォークの動きに引きずられて容易に抜き差しが出来なくなることを防止するための、摩擦軽減用リブをつけたリブ付運搬用パレット。
【請求項２】
上記パレットにおいて、摩擦軽減用の短いリブがフォークの爪挿入方向に複数で連続して装着されているリブ付運搬用パレット。
【請求項３】
上記パレットにおいて、摩擦軽減用の球状突起体がフォークの爪挿入方向に複数で連続して装着されているリブ付運搬用パレット。
【請求項４】
上記パレットにおいて、摩擦軽減用の台形型リブを設けたリブ付運搬用パレット。
【請求項５】
上記パレットにおいて、摩擦軽減用の角型リブを設けたリブ付運搬用パレット。
【請求項６】
上記パレットにおいて、摩擦軽減用の三角型リブを設けたリブ付運搬用パレット。
【請求項７】
上記パレットにおいて、摩擦軽減用の半円型リブを設けたリブ付運搬用パレット。
【請求項８】
上記パレットにおいて、摩擦軽減用の波型リブを設けたリブ付運搬用パレット。
【請求項９】
上記パレットにおいて、摩擦軽減用の半球型球状突起体を設けたリブ付運搬用パレット。
【請求項１０】
上記パレットにおいて、摩擦軽減用の円柱型球状突起体を設けたリブ付運搬用パレット。
【請求項１１】
上記パレットにおいて、摩擦軽減用の山型球状突起体を設けたリブ付運搬用パレット。
【請求項１２】
上記パレットにおいて、摩擦軽減用の球状突起体を設けたリブ付運搬用パレット。
【請求項１３】
請求項１から８まで記載の摩擦軽減用リブを一体成型したリブ付運搬用パレット。
【請求項１４】
請求項９から１２まで記載の摩擦軽減用球状突起体を一体成型したリブ付運搬用パレット。
【請求項１５】
請求項１から８までのに記載のリブ付運搬用パレットに装着されたリブ。
【請求項１６】
請求項９から１２まで記載のリブ付運搬用パレットに装着された球状突起体。
【考案の詳細な説明】
【技術分野】
【０００１】この考案は、天板と底板とをフォークの抜き差しに連動して接近離反可能に連結した運搬用パレットに関し、パレットが置かれている床面が滑りやすい状況において、フォーク差込時や抜き去り時にパレットがフォークの動きに引きずられて容易に抜き差しが、し難くなることを防止するために、パレットの底板又は、天板の、フォーク爪が接する場所において、フォークの爪とパレットの摩擦を小さくするための摩擦軽減用リブ又は球状突起体をつけたものである。
【背景技術】
【０００２】特開２００５−３３５８０９の積載用パレットとして、天板の下面に並列して設けられた上桁と、底板の上面に並列して設けられた下桁とを、屈曲弾性部材や、くの字型ヒンジ、又はピン等で連結し、この屈曲弾性部材や、くの宇型ヒンジの屈伸、またはピンのスライドにより、天板と底板とを接近離反可能に形成したものがある（特許文献１参照）。【０００３】  このようなパレットに、運搬物を積載すると、その重みで屈曲弾性部材、又は、くの宇型ヒンジが折れ曲がるなどして、天板と底板とが、その上桁と下桁とが接触するまで自動的に接近する。そのため、パレットの高さが低くなって省スペース化か図られ、運搬や保管のコストを低減することができる。【０００４】  また、フォークリフトで搬送する際には、天板と底板との間にフォークを差し込むと、このフォークの爪の厚みで屈曲弾性部材、又は、くの宇型ヒンジが伸びるなどして、天板と底板とが自動的に離反する。そのため、フォークをパレットの奥まで差し込み、しっかりと保持した状態で搬送することができる。【０００５】  さらに、搬送作業後にパレットからフォークを抜き取ると、再び自動的に天板と底板とが上下桁が接触するまで接近することになり、このようにして、フォークの抜き差しに連動して、天板と底板とを自在に接近離反させることが可能となっている。【０００６】  ところで、運搬物を積載したパレットに、フォークの爪を差し込むときパレットの接している床面が滑りやすい場合に於いて、パレットの底板と、その接している床面の摩擦より、フォークの爪が進入する際の、パレットとフォークの爪の摩擦が大きくなった場合、フォークの爪の差込に追従してパレットが引きずられる場合がある。
【特許文献１】特開２００５−３３５８０９
【考案の開示】
【考案が解決しようとする課題】
【０００７】    そこで、この考案が解決すべき課題は、天板と底板とをフォークの爪の抜き差しにより自動接近離反可能に連結した運搬用パレットについて、パレットの接している床面が滑りやすい状況下では、フォークの爪の抜き差し時、パレットと床面の摩擦より、フォークの爪と接するパレットの差込口の摩擦が大きいと、フォークの爪が容易に差し込まれず、荷物を積載したパレットがフォークの爪の動きに引きずられて、フォークの搬送作業に支障をきたす場合がある。本考案はこれらの問題点を解決するために発明されたものである。
【課題を解決するための手段】
【０００８】
【０００９】上記課題を解決するため、運搬物を積載する天板と、この天板の下方に配置される底板のフォーク差込時フォークの爪が通過する通路の、天板の下面と底板の上面に摩擦を軽減するためのリブあるいは球状突起体を設けた。【００１０】  すなわち、フォークの爪が挿入される時、爪と接するパレットの上板と底板に摩擦軽減用リブ、あるいは球状突起体を設けることにより、パレットとフォークの爪が接する面積を、極力小さな面積にすることにより、フォークの爪とパレットの摩擦を極力小さくした。そのことにより、フォークの爪挿入時に、その爪の動きに影響されるずに搬送作業を容易にするものである。【００１１】  この摩擦軽減のためのリブには多くの形状が考えられるが、幅２ｍｍから５ｍｍぐらいが高さも２ｍｍから５ｍｍぐらいが好ましい。【００１２】  しかし、この幅は１ｍｍから１１０ｍｍまでパレットの状況で変わる。また、高さはも１ｍｍから５０ｍｍまでの範囲なら可能である。リブの形状は角型、台形型、三角型、半円型、半球型、円柱型、波型が好ましいが、摩擦軽減用であれば形の範囲は問わない。【００１３】  また、リブでなくフォークの爪の進入を妨げなければ、球状突起態でもよい。球状突起体には、半球体、円柱体、球状突起体、山型体などが好ましい。しかし、形状は摩擦を軽減できる突起体なら上記突起体に限らない。【００１４】  突起体の大きさは、高さ２ｍｍから５ｍｍが好ましく最大幅は５ｍｍから５０ｍｍが好ましい。しかし、２ｍｍから１１０ｍｍまでパレットの状況に応じ決定することが好ましい。高さも１ｍｍから５０ｍｍまでの範囲なら可能。これらの、リブあるいは球状突起体は合成樹脂等で一体成型することで製造が容易になり、その製造コストも軽減できる。【００１５】  このリブはパレットいっぱいの長さにする必要性はなく適当に短く装着してもよい。【００１６】  また、短いリブを連続して複数装着してもよい。【００１７】  リブの変わりに複数の球状突起体でもよい。
【考案の効果】
【００１８】自動接近離反可能に連結した運搬用パレットについて、パレットの接している床面が滑りやすい状況下では、フォークの爪の抜き差し時、パレットと床面の摩擦より、フォークの爪と接するパレットの差込口の摩擦が大きいと、フォークの爪が容易に差し込まれず、荷物を積載したパレットが引きずられて、フォークの搬送作業に支障をきたす場合があるが、天板と底板の間に挿入されるフォークの爪がリブあるいは球状突起物を介して接するため、その接触面積が小さくなり、フォークの爪の挿入摩擦が減少して挿入しやすくなる。【００１９】  また、短いリブや球状突起体の装着パレットは四方差しパレットのようにフォークが前後左右に進入する場合に最適である。
【考案を実施するための最良の形態】
【００２０】図１に示す実施形態の運搬用パレット１０は、フォークリフトの爪の挿入摩擦軽減リブを装着した代表的なパレットの分解斜視図である。図２のリブ付パレット側面断面図はフォークの爪２０が挿入されたときのパレットの天板の動きを断面図で表したものである。【００２１】  図３はそのパレットをフォーク差込側からみた断面図で、フォークの爪２０と天板リブ１１ａと底板リブ１２ａの状態を断面図で表したものである。【００２２】  図４は実施形態の運搬用パレットの短いリブ１２ｂを複数装着したパレットの分解斜視図である。【００２３】  図５に示す実施形態の運搬用パレットは、リブと同じ働きをする球状突起体１２ｃを装着したパレットの分解斜視図である。【００２４】  図６は、そのパレットにフォークの爪２０が挿入されたときの天板球状突起体１１ｃと底板球状突起体１２ｃのフォークリフトの爪の状態を表したパレットの側面からの断面図である。【００２５】  図７は，本考案のリブの好ましい形状を現した斜視図である。【００２６】  図８は，本考案の球状突起体の好ましい形状を現した斜視図である。【００２７】  図９は，本考案が解決する前の天板と底板とをフォークの抜き差しに連動して接近離反可能にしたパレットにフォークが進入したパレットの断面図である。【００２８】  図９の断面図のように、フォークリフトの爪２０が天板１１と底板１２の間に挿入されることにより天板１１と底板１２が離反されるが、その際、と床面４０が滑りやすい状態だと，容易にフォークの爪２０が挿入されない。そこで、図２と図３のように、天板１１に摩擦軽減用のリブ１１ａを配置した。同様に底板１２に対しても摩擦軽減用のリブ１２ａを配置したものである。【００２９】  このことにより、図９のようにフォークの爪２０全体が天板１１と底板１２に接することなく、図３の天板リブ１１ａと底板リブ１２ａが、フォークの爪とパレットの天板１１と底板１２を媒体することにした。フォークの爪２０とパレット天板１１あるいは、底板１２が直接接することを避けて、接触面積の少ない天板リブ１１ａ底板リブ１２ａを介することにより、パレットとフォークの爪のパレット進入摩擦を減少した。【００３０】  また、図４のように短いリブ１２ｂを複数装着しても同様の効果がある。【００３１】  あるいは、図５のように球状突起体１２ｃを複数装着してもよい。【００３２】  上記各実施形態以外にもフォークの爪とパレット天板と底板に接する接触面積をリブ及び突起物で減少してパレットに対して挿入するフォークの爪の摩擦を軽減する形状であればよい。
【図面の簡単な説明】
【００３３】
【図１】リブ付のパレット斜視図
【図２】リブ付のパレット側面断面図
【図３】リブ付のパレット正面断面図
【図４】連続した短いリブ付のパレット斜視図
【図５】連続した球状突起体付のパレット斜視図
【図６】連続した球状突起体付のパレット側面断面図
【図７】形態の違うリブ斜視図
【図８】形態の違う球状突起体斜視図
【符号の説明】
【００３４】１０    接近離反可能に連結したリブ付運搬用パレット
１０ａ  天板の上昇方向
１１    天板
１１ａ  天板の角型リブ
１１ｃ  天板の球状突起体
１２    底板
１２ａ  底板の角型リブ
１２ｂ  底板の角型短いリブ
１２ｃ  底板の球状突起体
１３    屈曲弾性部材
２０    フォークリフトの爪
２０ａ  フォークリフトの爪進行方向
３０    台形型リブ
３１    角型リブ
３２    三角型リブ
３３    半円型リブ
３４    波型リブ
３５    半球型球状突起体
３６    円柱型球状突起体
３７    球状突起体
３８    山型球状突起体
４０    床面
【図１】
0003144321.tif 000003
【図２】
0003144321.tif 000004
【図３】
0003144321.tif 000005
【図４】
0003144321.tif 000006
【図５】
0003144321.tif 000007
【図６】
0003144321.tif 000008
【図７】
0003144321.tif 000009
【図８】
0003144321.tif 000010
【図９】
0003144321.tif 000011
【手続補正書】
【提出日】平成20年1月15日(2008.1.15)
【手続補正１】
【補正対象書類名】実用新案登録請求の範囲
【補正対象項目名】全文
【補正方法】変更
【補正の内容】
【実用新案登録請求の範囲】
【請求項１】
天板と底板が接近離反可能に連結した運搬用パレットに関し、フォーク差込時や抜き去り時において、このパレットがフォークの動きに引きずられて容易に抜き差しが出来なくなることを防止するための、摩擦軽減用リブをつけたリブ付運搬用パレット。
【請求項２】
上記パレットにおいて、摩擦軽減用の短いリブがフォークの爪挿入方向に複数で連続して装着されていることを特徴とする請求項１に記載のリブ付き運搬用パレット。
【請求項３】
上記パレットにおいて、摩擦軽減用の球状突起体がフォークの爪挿入方向に複数で連続して装着されていることを特徴とする請求項１に記載のリブ付き運搬用パレット。
【請求項４】
上記パレットにおいて、摩擦軽減用の台形型リブを設けたことを特徴とする請求項１に記載のリブ付き運搬用パレット。
【請求項５】
上記パレットにおいて、摩擦軽減用の角型リブを設けたことを特徴とする請求項１に記載のリブ付き運搬用パレット。
【請求項６】
上記パレットにおいて、摩擦軽減用の三角型リブを設けたことを特徴とする請求項１に記載のリブ付き運搬用パレット。
【請求項７】
上記パレットにおいて、摩擦軽減用の半円型リブを設けたことを特徴とする請求項１に記載のリブ付き運搬用パレット。
【請求項８】
上記パレットにおいて、摩擦軽減用の波型リブを設けたことを特徴とする請求項１に記載のリブ付き運搬用パレット。
【請求項９】
上記パレットにおいて、摩擦軽減用の半球型球状突起体を設けたことを特徴とする請求項１に記載のリブ付き運搬用パレット。
【請求項１０】
上記パレットにおいて、摩擦軽減用の円柱型球状突起体を設けたことを特徴とする請求項１に記載のリブ付き運搬用パレット。
【請求項１１】
上記パレットにおいて、摩擦軽減用の山型球状突起体を設けたことを特徴とする請求項１に記載のリブ付き運搬用パレット
【請求項１２】
上記パレットにおいて、摩擦軽減用の球状突起体を設けたことを特徴とする請求項１に記載のリブ付き運搬用パレット。
【請求項１３】
請求項１から請求項８のいずれかの項目に記載の摩擦軽減用リブを一体成型したリブ付運搬用パレット。
【請求項１４】
請求項９から請求項１２のいずれかの項目に記載の摩擦軽減用球状突起体を一体成型したリブ付運搬用パレット。
【請求項１５】
請求項１から請求項８いずれかの項目に記載のリブ付運搬用パレットに装着されたリブ。
【請求項１６】
請求項９から請求項１２のいずれかの項目に記載のリブ付運搬用パレットに装着された球状突起体。
【手続補正２】
【補正対象書類名】明細書
【補正対象項目名】００３３
【補正方法】変更
【補正の内容】
【００３３】
【図１】リブ付のパレット斜視図
【図２】リブ付のパレット側面断面図
【図３】リブ付のパレット正面断面図
【図４】連続した短いリブ付のパレット斜視図
【図５】連続した球状突起体付のパレット斜視図
【図６】連続した球状突起体付のパレット側面断面図
【図７】形態の違うリブ斜視図
【図８】形態の違う球状突起体斜視図
【図９】フォークリフト挿入状態断面図
【手続補正書】
【提出日】平成20年5月15日(2008.5.15)
【手続補正１】
【補正対象書類名】実用新案登録請求の範囲
【補正対象項目名】全文
【補正方法】変更
【補正の内容】
【実用新案登録請求の範囲】
【請求項１】
天板と底板が接近離反可能に連結した運搬用パレットに関し、フォーク差込時や抜き去り時において、このパレットがフォークの動きに引きずられて容易に抜き差しが出来なくなることを防止するための、摩擦軽減用リブをつけたリブ付運搬用パレット。
【請求項２】
上記パレットにおいて、摩擦軽減用の短いリブがフォークの爪挿入方向に複数で連続して装着されているリブ付運搬用パレット。
【請求項３】
上記パレットにおいて、摩擦軽減用の球状突起体がフォークの爪挿入方向に複数で連続して装着されているリブ付運搬用パレット。
【請求項４】
上記パレットにおいて、摩擦軽減用の台形型リブを設けたリブ付運搬用パレット。
【請求項５】
上記パレットにおいて、摩擦軽減用の角型リブを設けたリブ付運搬用パレット。
【請求項６】
上記パレットにおいて、摩擦軽減用の三角型リブを設けたリブ付運搬用パレット。
【請求項７】
上記パレットにおいて、摩擦軽減用の半円型リブを設けたリブ付運搬用パレット。
【請求項８】
上記パレットにおいて、摩擦軽減用の波型リブを設けたリブ付運搬用パレット。
【請求項９】
上記パレットにおいて、摩擦軽減用の半球型球状突起体を設けたリブ付運搬用パレット。
【請求項１０】
上記パレットにおいて、摩擦軽減用の円柱型球状突起体を設けたリブ付運搬用パレット。
【請求項１１】
上記パレットにおいて、摩擦軽減用の山型球状突起体を設けたリブ付運搬用パレット。
【請求項１２】
上記パレットにおいて、摩擦軽減用の球状突起体を設けたリブ付運搬用パレット。
【請求項１３】
上記摩擦軽減用リブを一体成型したことを特徴とする請求項１〜８のいずれかの一項に記載のリブ付運搬用パレット。
【請求項１４】
上記摩擦軽減用リブを一体成型したことを特徴とする請求項９〜１２のいずれかの一項に記載のリブ付運搬用パレット。
【請求項１５】
請求項１から８までに記載のリブ付運搬用パレットに装着されたリブ。
【請求項１６】
請求項９から１２まで記載のリブ付運搬用パレットに装着された球状突起体。